(57)【特許請求の範囲】
【請求項１】
内容液を減圧状態で密封収納する合成樹脂製壜体の口筒に、該口筒を密閉して密に組付く注出キャップであって、前記壜体の口筒に密に組付く組付き筒(2) の上端部から有底筒状の注出筒(5) を起立設し、該注出筒(5) の底壁である底板(8) を肉薄となって破断し易い破断線(9) で、脚片(16)を介して一体設したプルリング(15)の引き上げにより、前記破断線(9) に沿って破断除去されて開口部を形成する除去板部(10)と、該除去板部(10)の周囲に位置する周縁部(14)とに区画し、前記除去板部(10)を、開口部を形成する主体部分である本体部(11)の後端に、左右から狭まる肩部(12)を介して、上面に前記脚片(16)を立設し、後方に尖塔状に突出した小さな尖塔部(13)を形成した構成とし、前記プルリング(15)の前方斜め上への引き上げ操作による除去板部(10)の破断除去に係る破断操作力が肩部破断開始位置(b)でピーク値を持つように、前記肩部(12)に対向した破断線(9)の前後方向に対する角度を急角度とし、前記肩部(12)が左右から急激に狭まる構成とした注出キャップ。
【請求項２】
注出筒(5) を一体設した組付き筒(2) の後側上端に、揺動して前記注出筒(5) を開閉する蓋体(19)をヒンジ(25)を介して難破断性合成樹脂で一体成形し、前記注出筒(5) の下端部に密にかつ不動に組付けられ、上面に脚片(16)を介してプルリング(15)を一体設した底板(8) を、易破断性合成樹脂で成形した請求項１記載の注出キャップ。
【発明の詳細な説明】
【０００１】
【産業上の利用分野】
本発明は、減圧状態で内容液を密封収納する合成樹脂製壜体の口筒に組付けられ、一部を破断除去することにより壜体の開封を達成すると共に、内容液の注出口を形成する安全キャップを兼ねた注出キャップに関するものである。
【０００２】
【従来の技術】
内容液を収納する合成樹脂製壜体の口筒に密に組付けられて、壜体の密封を達成し、その一部を破断除去することにより壜体の開封を達成すると共に、内容液の注出口を形成する安全キャップを兼ねた注出キャップとして、壜体の口筒に密に組付く組付き筒に、内容液の注出をガイドする有底筒状の注出筒を起立設し、この注出筒の底壁に、肉薄となって破断し易くなった破断線により除去板部を区画形成し、この除去板部上面に脚片を介してプルリングを一体設した構成のものが知られている。
【０００３】
この注出キャップは、破断線を破断して除去板部を破断除去しない限り、壜体の開封が達成できないので、高い不正開封防止効果と、密封状態保持効果とを発揮するものであり、開封に際しては、プルリングを斜め前上方に引き上げると云う簡単で単純な操作により、破断線を破断して除去板部を破断除去して、開封を達成することができる。
【０００４】
【発明が解決しようとする課題】
このように、プルリングを引き上げて除去板部を破断除去して開封を達成する安全キャップを兼ねた注出キャップは、多くの優れた利点を有するのであるが、開封時、すなわちプルリングを引き上げて除去板部を破断線に沿って破断除去する際に、破断発生の当初に強大な操作力を要し、破断線の一部を破断した後は一気に除去板部の破断除去が達成されると云う開封形態となるため、内容液を減圧状態で密封収納する合成樹脂製壜体にこの注出キャップを組付けると、開封時の衝撃により、内容液が開封されたばかりの開口部から噴出して周囲を汚すと云う不都合が多発する問題があった。
【０００５】
すなわち、減圧状態の合成樹脂製壜体を一気に開封すると、壜体の膨張により内容液の液面が急激に下降し、この急激な液面の下降動作の反動で液面の中央部が押上げられて、成形されたばかりの開口部から壜体外に噴出するのである。
【０００６】
そこで、本発明は、上記した従来技術における問題点を解消すべく創案されたもので、破断線の最初の破断に要する最初の操作力をできる限り小さくすると共に、この最初の操作力で破断される破断線の範囲を、気体の通過には充分ではあるが、液体の通過には不充分な大きさに制限することを技術的課題とし、もって開封時に内容液の噴出と云う不都合を発生させることなく、安全で円滑な開封処理を得ることを目的とする。
【０００７】
【課題を解決するための手段】
上記課題を解決する本発明のうち、請求項１記載の発明の手段は、内容液を減圧状態で密封収納する合成樹脂製壜体の口筒に、この口筒を密閉して密に組付く注出キャップであること、壜体の口筒に密に組付く組付き筒の上端部から有底筒状の注出筒を起立設し、この注出筒の底壁である底板を肉薄となって破断し易い破断線で、脚片を介して一体設したプルリングの引き上げにより、破断線に沿って破断除去されて開口部を形成する除去板部と、この除去板部の周囲に位置する周縁部とに区画すること、底板に区画形成された除去板部を、開口部を形成する主体部分である本体部の後端に、左右から狭まる肩部を介して、上面に脚片を立設し、後方に尖塔状に突出した小さな尖塔部を形成した構成とし、
プルリングの前方斜め上への引き上げ操作による除去板部の破断除去に係る破断操作力が肩部破断開始位置でピーク値を持つように、肩部に対向した破断線の前後方向に対する角度を急角度とし、肩部が左右から急激に狭まる構成とすること、にある。
【０００８】
請求項２記載の発明は、請求項１記載の発明の構成に、注出筒を一体設した組付き筒の後側上端に、揺動して注出筒を開閉する蓋体をヒンジを介して難破断性合成樹脂で一体成形し、注出筒の下端部に密にかつ不動に組付けられ、上面に脚片を介してプルリングを一体設した底板を、易破断性合成樹脂で成形した、構成を加えたものである。
【０００９】
【作用】
請求項１記載の発明において、壜体は、破断線が破断されない限り、注出キャップにより密封状態が保持され、この壜体の不正開封の有無は、簡単な破断線の破断の有無の確認により正確に判断することができる。
【００１０】
壜体の開封は、従来と同様に、プルリングを引き上げて、除去板部を破断除去することにより達成されるが、この除去板部の破断除去、すなわち破断線の破断は、尖塔部に対向した部分、肩部に対向した部分、本体部に対向した部分の順で達成され、尖塔部の先端の破断線部分を最初に破断する時と、尖塔部から左右に拡がった肩部の先端部の破断線を破断する時と、最後に本体部の前端部の破断線部分を引きちぎり状に破断する時に、ピーク状に大きな引き上げ力、すなわち破断操作力を必要とする。
【００１１】
このため、尖塔部に対向した破断線の破断を完了した後、再び操作力を強めて肩部に対向した破断線の破断を行う必要があるので、尖塔部の破断達成後、ワンテンポおいて肩部の破断操作を行うことになり、これにより除去板部の破断除去処理は、一気に達成されるのではなく、先ず尖塔部を破断して小さな開口部を形成し、この結果、空気を壜体内に吸入して壜体内の減圧を消滅させ、この状態で肩部から本体部の破断により除去板部全体の破断除去が達成される。
【００１２】
このように、最初に尖塔部の破断により小さな開口部が形成され、空気が壜体内に侵入して壜体内の減圧を消滅させるが、この際、開口される開口部が小さいので、空気の壜体内への侵入は制限された状態で達成され、これにより壜体内の減圧消滅が急激には達成されず、このため内容液の液面に大きな立ち上がりが発生することはなく、また例え内容液の液面に多少の立ち上がりが発生したとしても、開口部が小さいので壜体外に噴出することができないので、壜体開封時に内容液が開口部から噴出すると云う不都合の発生を完全に防止することになる。
【００１３】
また、プルリングに作用する操作力は、脚片を介して小さな尖塔部に集中して作用し、さらにこの操作力の作用方向が斜め前上方であるため、尖塔部の尖塔状となった後端にさらに集中して作用することになり、このため破断線を最初に破断するに要する操作力の大きさは、その集中程度がきわめて高いことから、従来に比べて充分に小さくて良いものとなる。
【００１４】
請求項２記載の発明においては、組付き筒と注出筒と蓋体とが、ヒンジを介して難破断性合成樹脂で一体成形されているので、注出キャップの壜体口筒に対する組付きが強固で安定したものとなると共に、蓋体の反復開閉動作の繰り返しに対して、ヒンジがその機能を安定して発揮する。
【００１５】
また、破断線により除去板部を区画形成した底板を易破断性合成樹脂で成形しているので、プルリングを引き上げての破断線の破断を容易に達成することができ、これにより除去板部の破断除去、すなわち注出キャップの開封をより小さな操作力で達成することができる。
【００１６】
【実施例】
以下、本発明の一実施例を、図１ないし図４を参照しながら説明する。
注出キャップは、キャップ本体１と、このキャップ本体１にヒンジ２５により一体結合された蓋体１９とから構成されている。
【００１７】
キャップ本体１は、壜体口筒に外嵌係合する組付き筒２の上端縁から内鍔状の頂板３を連設し、この頂板３の内周端縁から上端部をラッパ状に広げた注出筒５を起立設すると共に、頂板３の上面中央部に高さの低い係止筒片４を立設し、注出筒５を下方に延長した形態で頂板３の内周端縁から嵌着筒６を垂下設し、さらに注出筒５の内周面下端縁から支持フランジ片７を突周設した難破断性合成樹脂製部分と、周端部上面を支持フランジ片７の下面に当接させた底板８の周端縁から内筒１７を垂下設し、この内筒１７の下端縁から、内筒１７との間に、嵌着筒６が密にかつ強固に嵌着する溝部分を形成する外筒１８を反転立設した形態で一体設した易破断性合成樹脂製部分とから構成されている。
【００１８】
底板８は、閉ループ状となった破断線９により除去板部１０と、この除去板部１０の周囲に位置する周縁部１４とに区画され、周縁部１４は、その上面を支持フランジ片７に当接させ、これにより破断操作力が破断線９に有効に作用するようにしており、また壜体口筒内に密嵌入することになる外筒１８の上端は、外方に鍔状に屈曲して、壜体口筒の上端面に当接し、易破断性合成樹脂の柔軟性を利用してパッキング機能を発揮するようにしている。
【００１９】
破断線９により区画形成される除去板部１０（以下、図４参照）は、開設する開口部の主体部分を形成する略六分の四程度の円形となった本体部１１と、この本体部１１の後端から急激に幅を狭めて、すなわち対向する破断線９が破断操作力の作用方向である前後方向に対して急角度（図４図示実施例の場合、略７０度程度）となった肩部１２と、この肩部１２の後端から、後方に尖塔状に突出した形態となった小さい尖塔部１３と、から構成されている。
【００２０】
尖塔部１３の上面には、プルリング１５を上端に一体設した脚片１６が立設されているが、図示実施例の場合、脚片１６はその一部が肩部１２にも侵入しており、これにより除去板部１０との機械的な一体結合を高めている。
【００２１】
蓋体１９は、深皿形状をしていて、その周壁２２の後側下端部（図１においては、上端部）を組付き筒２の後側上端部にヒンジ２５で一体連結し、頂壁２０の下面に、閉姿勢時に注出筒５の開口端部に軽く密嵌入する高さの低いシール筒片２１を突設し、周壁２２の内周面下端部（図１においては、上端部）に、閉姿勢時に係止筒片４に外嵌係止して蓋体１９の閉姿勢を保持する係止条２３が突周設し、さらに周壁２２の外周面前側下端（図１においては、上端）に指掛け片２４を突設した構成となっている。
【００２２】
難破断性合成樹脂としてポリプロピレンを使用し、易破断性合成樹脂として低密度ポリエチレンを使用して図示実施例を構成し、図３のＡ矢印方向に一定速度で破断操作力を作用させた場合における、破断操作力の変化特性の一例を図５に示す。
【００２３】
図５において、尖塔部破断開始位置ａ、肩部破断開始位置ｂ、本体部破断開始位置ｃ、破断完了位置ｄの順でピークが現れ、尖塔部１３および肩部１２においては、破断線９の破断が開始されると破断操作力は低下し、本体部１１においては、破断線９の破断開始当初は破断操作力が低下するものの、途中から破断操作力が増加し、破断完了位置ｄでピークを迎える動作状態となっている。
【００２４】
尖塔部破断開始位置ａのピーク値に対して、肩部破断開始位置ｂのピーク値は小さいが、その差が小さいので、尖塔部１３の破断線９の破断が完了した後、肩部１２の破断線９の破断が開始されるまでに比較的長い時間が掛かり、これにより尖塔部１３だけで壜体を開封した状態で、壜体内の減圧消滅を充分な時間的余裕を持って達成されることになる。
【００２５】
また、尖塔部破断開始位置ａのピーク値は、プルリング１５に加えた破断操作力を、尖塔部１３の尖塔端に有効に集中させていることにより、破断完了位置ｄのピーク値よりも小さい値となっており、このことから破断線９の最初の破断に要する破断操作力の低減が確実に達成されていることが分かる。
【００２６】
【発明の効果】
本発明は、上記した構成となっているので、以下に示す効果を奏する。
請求項１記載の発明にあっては、通常のプルリング引き上げによる開封操作により、開口部を形成する除去板部の尖塔部の破断線の破断による小さな開封によって、除去板部の破断除去による完全開封に先立って、壜体内の減圧を、内容液に波立ちを起こさせることなく消滅させることができ、もって除去板部の破断除去による開封達成時に、内容液が開設されたばかりの開口部から噴出して周囲を汚すと云う不都合の発生を確実に防止することができる。
【００２７】
除去板部の尖塔部の破断線の破断完了と肩部の破断線の破断開始との間の或る程度の時間間隔は、通常の形態で破断操作力を作用させている限り、尖塔部の尖塔形状および大きさと、肩部の形状とに従って必然的に生じるものであり、もって特別な開封操作形態を要することなく、従来通りの開封操作を行うことによって、自然に壜体内の減圧を消滅させてから完全開放を得ることができる。
【００２８】
請求項２記載の発明にあっては、破断線が成形される底板を易破断性合成樹脂で成形し、組付き筒と蓋体との一体物を難破断性合成樹脂で成形するので、壜体に対する組付きを強固で安定したものとすることができると共に、強力で安定したヒンジ結合を得ることができ、また除去板部の破断除去に要する操作力を低減させて開封操作を達成し易くすることができる。
【図面の簡単な説明】
【図１】本発明の一実施例を示す、開姿勢状態の全体縦断側面図。
【図２】図１に示す実施例の、全体平面図。
【図３】図１に示した実施例のキャップ本体の拡大図。
【図４】図１に示した実施例における、底板部分の底面図。
【図５】図１に示した実施例における、除去板部の破断除去動作の破断操作力の動作特性を示す特性線図。
【符号の説明】
１  ；  キャップ本体
２  ；  組付き筒
３  ；  頂板
４  ；  係止筒片
５  ；  注出筒
６  ；  嵌着筒
７  ；  支持フランジ片
８  ；  底板
９  ；  破断線
１０；  除去板部
１１；  本体部
１２；  肩部
１３；  尖塔部
１４；  周縁部
１５；  プルリング
１６；  脚片
１７；  内筒
１８；  外筒
１９；  蓋体
２０；  頂壁
２１；  シール筒片
２２；  周壁
２３；  係止条
２４；  指掛け片
２５；  ヒンジ
ａ  ；  尖塔部破断開始位置
ｂ  ；  肩部破断開始位置
ｃ  ；  本体部破断開始位置
ｄ  ；  破断完了位置
Ａ  ；  引き上げ方向
【図１】
0004081155.tif 000002
【図２】
0004081155.tif 000003
【図３】
0004081155.tif 000004
【図４】
0004081155.tif 000005
【図５】
0004081155.tif 000006